(57)【要約】      （修正有）【課題】使用する周波数帯域幅の広い通信における電力制御及び変調符号化制御をより適切に行う通信システムを提供する。【解決手段】通信システムは処理部に、第一通信機と第二通信機との間で行う無線による通信に割り当てられた周波数帯域を分割し、分割された周波数帯域である部分帯域を生成する分割部と、前記部分帯域の少なくとも一つについて、前記通信に係る伝播損失の導出を行うパスロス導出部と、前記伝播損失から制御情報の導出を行う制御情報導出部と、前記制御情報から、送信電力制御及び変調符号化制御のうちの少なくともいずれかを行う制御部と、を備える。【選択図】図１
2019041174.tif 000002
【特許請求の範囲】
【請求項１】
第一通信機と第二通信機との間で行う無線による通信に割り当てられた周波数帯域を分割し、分割された周波数帯域である部分帯域を生成する分割部と、
前記部分帯域の少なくとも一つについて、前記通信に係る伝播損失の導出を行うパスロス導出部と、
前記伝播損失から制御情報の導出を行う制御情報導出部と、
前記制御情報から、送信電力制御及び変調符号化制御のうちの少なくともいずれかを行う制御部と、
を備える、通信システム。
【請求項２】
前記第一通信機が基地局であり、前記第二通信機が移動局である、請求項１に記載された通信システム。
【請求項３】
前記分割部を前記第一通信機が備え、前記パスロス導出部を前記第二通信機が備える、請求項２に記載された通信システム。
【請求項４】
前記制御情報導出部を前記第一通信機が備える、請求項３に記載された通信システム。
【請求項５】
前記第二通信機が前記伝播損失から導出された情報である導出情報を、前記第一通信機に送付し、前記制御情報導出部が、前記導出情報により、前記制御情報の導出を行う、請求項４に記載された通信システム。
【請求項６】
前記第一通信機が送付する更新情報により前記第二通信機が、前記第二通信機が保持する前記制御情報の更新を行う、請求項１乃至請求項５のうちのいずれか一に記載された通信システム。
【請求項７】
前記更新情報が、前記制御情報の前記部分帯域の各々に係る部分のうちの複数の部分を、共通の情報に設定又は更新させる内容を含む、請求項６に記載された通信システム。
【請求項８】
前記更新情報が、前記制御情報の前記部分帯域の各々に係る部分のうちの一部のみを、設定又は更新させる内容を含む、請求項６又は請求項７に記載された通信システム。
【請求項９】
Ｔｒａｎｓｍｉｔ  Ｐｏｗｅｒ  Ｃｏｎｔｒｏｌコマンドについての前記部分帯域からなる第一部分帯域群と、Ｍｏｄｕｌａｔｉｏｎ  ａｎｄ  Ｃｏｄｉｎｇ  Ｓｃｈｅｍｅについての前記部分帯域からなる代に部分帯域群とが異なる、請求項６乃至請求項８のうちのいずれか一に記載された通信システム。
【請求項１０】
前記第二通信機は前記部分帯域を生成する第二分割部を備える、請求項１乃至請求項９のうちのいずれか一に記載された通信システム。
【発明の詳細な説明】
【技術分野】
【０００１】
本発明は、無線通信の制御方法に関する。
【背景技術】
【０００２】
３ＧＰＰでは、高速データ通信を実現する移動通信システムとして、ＬＴＥ及びＬＴＥ−Ａｄｖａｎｃｅｄ以降の次世代の通信規格に関する検討が進められている。ここで、３ＧＰＰは、３ｒｄ  Ｇｅｎｅｒａｔｉｏｎ  Ｐａｒｔｎｅｒｓｈｉｐ  Ｐｒｏｊｅｃｔの略である。また、ＬＴＥは、Ｌｏｎｇ  Ｔｅｒｍ  Ｅｖｏｌｕｔｉｏｎの略である。また、ＬＴＥ−ＡｄｖａｎｃｅｄはＬｏｎｇ  Ｔｅｒｍ  Ｅｖｏｌｕｔｉｏｎ  Ａｄｖａｎｃｅｄの略である。その次世代の通信規格は例えば５Ｇ（５ｔｈ  Ｇｅｎｅｒａｔｉｏｎ）に向けた通信規格である。
【０００３】
非特許文献１によると、５Ｇに向けた通信規格においては、ＬＴＥと比較して１０００倍以上のシステム容量の大容量化、１００倍程度のユーザ体感データ伝送速度及び１ｍｓ以下の低遅延化が求められる。また、非特許文献１によると、５Ｇに向けた通信規格においては、さらに、１００倍以上の端末の同時接続、低コスト及び省電力化が求められる。これらの要求条件を満たすために、ＬＴＥにて使用されている周波数帯域幅よりもさらに帯域幅を広げることが検討されている。
【０００４】
ここで、ＬＴＥにおいて、移動局が基地局に情報を送信するとき、物理チャネルの一つとして、ＰＵＳＣＨが使用される。ここで、ＰＵＳＣＨはＰｈｙｓｉｃａｌ  Ｕｐｌｉｎｋ  Ｓｈａｒｅｄ  Ｃｈａｎｎｅｌの略であり、物理上りリンク共有チャネルを意味する。
【０００５】
ＰＵＳＣＨの電力値は次に表す式１で制御される（非特許文献２参照）。
2019041174.tif 000003
【０００６】
式１における添え字のｃは、サービングセルを表す。また、インデックスｉはサブフレーム番号を表す。また、ＰＰＵＳＣＨ，ｃ（ｉ）は、ＰＵＳＣＨの送信電力値である。ＰＣＭＡＸ，ｃは最大送信電力値である。また、ＭＰＵＳＣＨ，ｃ（ｉ）は、ＰＵＳＣＨのリソースブロック数である。また、ＰＯ＿ＰＵＳＣＨ，ｃ（ｊ）はセル固有のＰＵＳＣＨの基本となる送信電力である。また、αｃ（ｊ）は伝播損失（パスロス）に乗算する補償係数である。また、ＰＬｃはパスロスである。また、ΔＴＦ，ｃ（ｉ）は変調方式等によるオフセット値である。また、ｆｃ（ｉ）は基地局から指示されたＰＵＳＣＨに関するＴＰＣコマンドの累積値である。ここで、ＴＰＣはＴｒａｎｓｍｉｔ  Ｐｏｗｅｒ  Ｃｏｎｔｒｏｌの略である。
【０００７】
移動局は自らの送信可能電力を、ＰＨＲを用いて基地局に報告している。ここで、ＰＨＲは、Ｐｏｗｅｒ  Ｈｅａｄｒｏｏｍ  Ｒｅｐｏｒｔの略である。
【０００８】
移動局が基地局に報告するＰＨＲの値は、ＰＵＳＣＨとＰＵＣＣＨを同時に送信しない場合は、次の式２により表される。ここで、ＰＵＣＣＨは、Ｐｈｙｓｉｃａｌ  Ｕｐｌｉｎｋ  Ｃｏｎｔｒｏｌ  Ｃｈａｎｎｅｌの略であり、物理上りリンク制御チャネルを意味する（非特許文献２参照）。
2019041174.tif 000004
【０００９】
ここで、ＰＣＭＡＸ，ｃ、ＭＰＵＳＣＨ，ｃ（ｉ）、ＰＯＰＵＳＣＨ，ｃ（ｊ）、αｃ（ｊ）、ＰＬｃ、ΔＴＦ，ｃ（ｉ）、ｆｃ（ｉ）は前述の通りである。
【００１０】
一方、基地局内において設定されたＴＰＣコマンド、ＭＣＳは、上りリンクリソース割当てなどと共にＤＣＩとして、ＰＤＣＣＨを用いて移動局へ通知される。ここで、ＭＣＳは、Ｍｏｄｕｌａｔｉｏｎ  ａｎｄ  Ｃｏｄｉｎｇ  Ｓｃｈｅｍｅの略である。また、ＤＣＩはＤｏｗｎｌｉｎｋ  Ｃｏｎｔｒｏｌ  Ｉｎｆｏｒｍａｔｉｏｎの略である。また、ＰＤＣＣＨはＰｈｙｓｉｃａｌ  Ｄｏｗｎｌｉｎｋ  Ｃｏｎｔｒｏｌ  Ｃｈａｎｎｅｌの略であり、物理下りリンク制御チャネルを意味する。
【先行技術文献】
【非特許文献】
【００１１】
【非特許文献１】「ドコモ５Ｇホワイトペーパー  ２０２０年以降の５Ｇ無線アクセスにおける要求条件と技術コンセプト」、株式会社ＮＴＴドコモ、２０１４年９月、［平成２９年７月１９日検索］、インターネット（ｈｔｔｐｓ：／／ｗｗｗ．ｎｔｔｄｏｃｏｍｏ．ｃｏ．ｊｐ／ｂｉｎａｒｙ／ｐｄｆ／ｃｏｒｐｏｒａｔｅ／ｔｅｃｈｎｏｌｏｇｙ／ｗｈｉｔｅｐａｐｅｒ＿５ｇ／ＤＯＣＯＭＯ＿５Ｇ＿Ｗｈｉｔｅ＿ＰａｐｅｒＪＰ＿２０１４１００６．ｐｄｆ）
【非特許文献２】３ＧＰＰ  ＴＳ  ３６．２１３  Ｖ１３．４．０  （２０１６−１２）、［平成２９年７月１９日検索］、インターネット（ｈｔｔｐ：／／ｗｗｗ．３ｇｐｐ．ｏｒｇ／ｆｔｐ／Ｓｐｅｃｓ／２０１６−１２／Ｒｅｌ−１３／３６＿ｓｅｒｉｅｓ／３６２１３−ｄ４０．ｚｉｐ）
【発明の概要】
【発明が解決しようとする課題】
【００１２】
一般に、パスロスの値は、チャネル干渉や自由空間伝播損失等の周波数変化により、周波数により変化する。そのため、５Ｇにおいて想定されるように、周波数帯域幅がＬＴＥの帯域幅と比較してより広くなる場合、定められた周波数帯域内であっても、実際に通信が行われる通信周波数によってパスロスの値に大きな差が生じる可能性が高くなる。
【００１３】
非特許文献２においては、移動局は、周波数帯域ごとに一つのパスロスからＰＨＲを導出することが記述されている。しかしながら、ある周波数帯域内であっても、パスロスの値は実際に使用される通信周波数により異なる。そして、周波数帯域の幅が広くなると、実際に使用される通信周波数（以下、「実周波数」という。）のパスロスは、導出したパスロスから乖離する確率が増大する。
【００１４】
基地局はＰＨＲによりＴＰＣコマンドやＭＣＳ（Ｍｏｄｕｌａｔｉｏｎ  ａｎｄ  Ｃｏｄｉｎｇ  Ｓｃｈｅｍｅ）を決定する。そして、基地局は、ＴＰＣコマンドやＭＣＳにより、移動局に電力制御や変調符号化制御を行わせる。そのため、基地局は、実周波数のパスロスから乖離した導出されたパスロスから導出した、実周波数であるべきＰＨＲから乖離した導出されたＰＨＲを受信すると、正しい電力制御や変調符号化制御を移動局に行わせることができない。すなわち、周波数帯域の帯域幅が広くなると、通信システムは、正しい電力制御や変調符号化制御を行うことができない確率が増大する。
【００１５】
本発明は、電力制御及び変調符号化制御をより適切に行い得る通信システム等の提供を目的とする。
【課題を解決するための手段】
【００１６】
本発明の通信システムは、第一通信機と第二通信機との間で行う無線による通信に割り当てられた周波数帯域を分割し、分割された周波数帯域である部分帯域を生成する分割部と、前記部分帯域の少なくとも一つについて、前記通信に係る伝播損失の導出を行うパスロス導出部と、前記伝播損失から制御情報の導出を行う制御情報導出部と、前記制御情報から、送信電力制御及び変調符号化制御のうちの少なくともいずれかを行う制御部と、を備える。
【発明の効果】
【００１７】
本発明の通信システム等は、電力制御及び変調符号化制御をより適切に行い得る。
【図面の簡単な説明】
【００１８】
【図１】本実施形態の通信システムの構成例を表す概念図である。
【図２】基地局の処理部の構成例を表す概念図である。
【図３】移動局の処理部の構成例を表す概念図である。
【図４】各部分帯域ごとに機能部の各々を分割した処理部の構成例を表す概念図である。
【図５】基地局及び移動局の処理部が行う処理例を表すシーケンスチャートである。
【図６】分割部が行う処理の処理フロー例を表す概念図である。
【図７】パスロス導出部が行う処理の処理フロー例を表す概念図である。
【図８】ＰＨＲ導出部が行う処理の処理フロー例を表す概念図である。
【図９】ＵＬグラント決定部が行う処理の処理フロー例を表す概念図である。
【図１０】ＵＬグラント更新部が行う処理の処理フロー例を表す概念図である。
【図１１】ＴＰＣコマンド累積部が行う処理の処理フロー例を表す概念図である。
【図１２】電力制御部が行う処理の処理フロー例を表す概念図である。
【図１３】変調符号化制御部が行う処理の処理フロー例を表す概念図である。
【図１４】各部分帯域ごとに異なる副ＵＬグラントが設定及び更新されるＵＬグラントの例を表すイメージ図である。
【図１５】複数の部分帯域に対して共通の副ＵＬグラントが設定されるＵＬグラントの例を表すイメージ図である。
【図１６】境界周波数を境に副ＵＬグラントに割り当てられる情報が異なるＵＬグラントの例を表すイメージ図である。
【図１７】ＴＰＣコマンド用の部分帯域とＭＣＳ用部分帯域とが別々に設定されるＵＬグラントの例を表すイメージ図である。
【図１８】所定の副グラントのみを更新するＵＬグラントの例を表すイメージ図である。
【図１９】基地局による分割情報の導出とは独立して分割情報を導出し得る移動局の処理部の例を表す概念図である。
【図２０】本実施形態の通信システムの最小限の構成を表す概念図である。
【発明を実施するための形態】
【００１９】
［構成と動作］
図１は、本実施形態の通信システムの例である通信システム１００の構成を表す概念図である。
【００２０】
通信システム１００は、基地局１０１と移動局２０１とを備える。
【００２１】
基地局１０１は、通信部１０６と処理部１１１と記録部１１６とを備える。
【００２２】
移動局２０１は、通信部２０６と処理部２１１と記録部２１６とを備える。
【００２３】
通信部１０６は、処理部１１１の指示に従い、処理部１１１から送られた情報を、移動局２０１に向けて、無線により送信する。通信部１０６は、また、移動局２０１から無線により送られた情報を受信し、受信した情報である受信情報を、処理部１１１に送る。当該受信情報には、後述の、分割された各周波数帯域（各部分帯域）についてのＰＨＲ（各ＰＨＲ）が含まれる。
【００２４】
処理部１１１は、記録部１１６から読み込んだ周波数帯域を分割する。ここで、前記周波数帯域は、基地局１０１と移動局２０１との間で行われる通信に割り当てられた周波数帯域である。処理部１１１は、分割した周波数帯域（部分帯域）を表す情報である分割情報を、記録部１１６に記録させる。当該分割情報は、例えば、基地局１０１と移動局２０１との間の通信に用いられる周波数領域を分割して生成された各部分帯域についての最小周波数と最大周波数を表す情報である。
【００２５】
処理部１１１は、また、移動局２０１から受信したから各部分帯域についてのＰＨＲからＵＬグラントを導出する。ここで、ＰＨＲについては、背景技術の項で説明した通りである。また、ＵＬはＵｐ  Ｌｉｎｋの略である。当該ＵＬグラントには、各部分帯域についてのＵＬグラントである副ＵＬグラントが含まれる。各副ＵＬグラントには、その部分帯域についてのＴＰＣコマンドである副ＴＰＣコマンドとその部分帯域についてのＭＣＳである副ＭＣＳとが含まれる。ＵＬグラント、ＴＰＣコマンド及びＭＣＳは、非特許文献２に記述されている。
【００２６】
処理部１１１は、また、種々の送信情報を、通信部１０６に対し、通信部２０６に送付させる。当該送信情報には、前述の分割情報やＵＬグラントが含まれる。
【００２７】
処理部１１１は、また、通信部１０６から送られた情報に対し、所定の処理を行う。当該処理には、前述のＵＬグラントの導出が含まれる。
【００２８】
記録部１１６は、処理部１１１の指示により、指示された情報を記録する。記録部１１６は、また、処理部１１１の指示により、指示された情報を処理部１１１に送る。
【００２９】
移動局２０１の通信部２０６は、処理部２１１の指示に従い、処理部２１１から送られた情報を、移動局２０１に向けて、無線により送信する。通信部２０６は、また、通信部２０６から無線により送られた情報を受信し、受信した情報（受信情報）を、処理部２１１に送る。当該受信情報には、前述のＵＬグラントが含まれる。
【００３０】
処理部２１１は、基地局１０１から送付された前述の分割情報を記録部２１６に記録させる。処理部２１１は、また、各部分帯域についての伝播損失であるパスロス（各パスロス）を導出する。パスロスの導出方法は、非特許文献２に記述されている。処理部２１１は、導出した各パスロスを、記録部２１６に記録させる。
【００３１】
処理部２１１は、また、各パスロスから、各部分帯域についてのＰＨＲ（各ＰＨＲ）を導出する。処理部２１１は、導出した各ＰＨＲを、記録部２１６に記録させる。処理部２１１は、さらに、導出した各ＰＨＲを通信部２０６に、基地局１０１に向けて送信させる。
【００３２】
処理部２１１は、また、基地局１０１から送付されたＵＬグラントに含まれる各ＴＰＣコマンドから、各部分帯域ごとのＴＰＣコマンド累積値（各ＴＰＣコマンド累積値）を導出する。ＴＰＣコマンドは数値で与えられるものである。ＴＰＣコマンド及びＴＰＣコマンド累積値について非特許文献２に記述されている。そして、処理部２１１は、各パスロスと各ＴＰＣコマンド累積値とから、通信部２０６が、各部分帯域の周波数を用いて送信する際の送信電力の制御（送信電力制御）を行う。当該送信電力制御の方法は、非特許文献２に記述されている。
【００３３】
処理部２１１は、また、基地局１０１から送付されたＵＬグラントに含まれる各部分帯域ごとのＭＣＳにより、通信部２０６が送信する際の、部分帯域ごとの変調符号化に関する制御（変調符号化制御）を行う。当該変調符号化制御の方法は、非特許文献２に記述されている。
【００３４】
処理部２１１は、種々の送付用情報を、通信部２０６に送信させる。当該送付用情報には、前述の各ＰＨＲが含まれる。
【００３５】
処理部２１１は、また、通信部２０６から送られた情報に対し、上記処理以外にも処理を行う場合がある。
【００３６】
記録部２１６は、処理部２１１の指示により、指示された情報を記録する。記録部２１６は、また、処理部２１１の指示により、指示された情報を処理部２１１に送る。
【００３７】
図２は、図１に表す基地局１０１の処理部１１１の例である処理部１１１ａの構成を表す概念図である。
【００３８】
処理部１１１ａは、分割部１１２とＵＬグラント決定部１１３とを備える。
【００３９】
分割部１１２は、記録部１１６から読み込んだ上述の周波数帯域を分割し、複数の部分帯域を導出する。分割部１１２は、各部分帯域を表す情報である分割情報を、記録部１１６に記録させる。
【００４０】
ＵＬグラント決定部１１３は、図１に表す移動局２０１から受信したＰＨＲによりＵＬグラントを導出する。当該ＵＬグラントには、各部分帯域についてのＴＰＣコマンドやＭＣＳが含まれる。ＵＬグラント決定部１１３は、導出したＵＬグラントを記録部１１６に記録させる。ＵＬグラント決定部１１３は、また、導出したＵＬグラントを通信部１０６に、図１に表す移動局２０１に向けて送信させる。
【００４１】
図３は、図１に表す移動局２０１の処理部２１１の例である処理部２１１ａの構成を表す概念図である。
【００４２】
処理部２１１ａは、パスロス導出部２２１と、ＰＨＲ導出部２２６と、ＵＬグラント更新部２３１と、ＴＰＣコマンド累積部２３６と、電力制御部２４１と、変調符号化制御部２４６とを備える。
【００４３】
パスロス導出部２２１は、基地局１０１から送付された前述の分割情報を記録部２１６に記録させる。パスロス導出部２２１は、また、各部分帯域についてのパスロス（各パスロス）を導出する。当該各パスロスは、例えば、各部分帯域の中心周波数についてのパスロスである。パスロス導出部２２１は、導出した各パスロスを、記録部２１６に記録させる。
【００４４】
ＰＨＲ導出部２２６は、記録部１１６から、前述の各パスロスを読み込む。そして、ＰＨＲ導出部２２６は、前記各パスロスから、前述の各ＰＨＲを導出する。ＰＨＲ導出部２２６は、導出した各ＰＨＲを、記録部２１６に記録させる。ＰＨＲ導出部２２６は、さらに、通信部２０６に、導出した各ＰＨＲを基地局１０１に向けて送信させる。
【００４５】
ＴＰＣコマンド累積部２３６は、基地局１０１から送付されたＵＬグラントに含まれる各ＴＰＣコマンドから、前述の各ＴＰＣコマンド累積値を導出する。そして、処理部２１１は、各パスロスと各ＴＰＣコマンド累積値とから、通信部２０６が、各部分帯域の周波数を用いて行う送信に係る送信電力制御を行う。当該送信電力制御の方法は、非特許文献２に記載されている。
【００４６】
処理部２１１は、また、基地局１０１から送付されたＵＬグラントに含まれる各部分帯域のＭＣＳにより、通信部２０６が送信する際の前記変調符号化制御を行う。前記変調符号化制御の方法は、非特許文献２に記載されている。
【００４７】
図３に表す処理部２１１ａは、分割された部分帯域ごとに、機能部を分割して、処理を行っても構わない。ここで、機能部は、パスロス導出部２２１、ＰＨＲ導出部２２６及びＴＰＣコマンド累積部２３６をいうこととする。
【００４８】
図４は、各部分帯域ごとに機能部の各々を分割した処理部２１１ａの例である処理部２１１ｂの構成を表す概念図である。
【００４９】
処理部２１１ｂは、管理部２５６と、パスロス導出部２２１ｂと、ＰＨＲ導出部２２６ｂと、ＵＬグラント更新部２３１と、ＴＰＣコマンド累積部２３６ｂと、電力制御部２４１と、変調符号化制御部２４６とを備える。
【００５０】
管理部２５６は、図１に表す基地局１０１から移動局２０１に送られた前記分割情報を通信部２０６から受けると、パスロス導出部２２１ｂ、ＰＨＲ導出部２２６ｂ及びＴＰＣコマンド累積部２３６ｂからなる機能部を生成する。図４には機能部が生成された後の処理部２１１ｂを表す。
【００５１】
パスロス導出部２２１ｂは、第１パスロス導出部２２１１乃至第Ｎパスロス導出部２２１Ｎの、Ｎ個のパスロス導出部を備える。第ｎパスロス導出部２２１ｎ（ｎは１以上Ｎ以下の整数）は、ｎ番目の部分帯域についてのパスロスを導出する部分である。
【００５２】
ＰＨＲ導出部２２６ｂは、第１ＰＨＲ導出部２２６１乃至第ＮＰＨＲ導出部２２６Ｎの、Ｎ個のパスロス導出部を備える。第ｎＰＨＲ導出部２２６ｎ（ｎは１以上Ｎ以下の整数）は、ｎ番目の部分帯域についてのＰＨＲを導出する部分である。
【００５３】
ＴＰＣコマンド累積部２３６ｂは、第１ＴＰＣコマンド累積部２３６１乃至第ＮＴＰＣコマンド累積部２３６Ｎの、Ｎ個のパスロス導出部を備える。第ｎＴＰＣコマンド累積部２３６ｎ（ｎは１以上Ｎ以下の整数）は、ｎ番目の部分帯域についてのＴＰＣコマンド累積値を導出する部分である。
【００５４】
管理部２５６は、通信部２０６から通信部２０６が実際に通信に用いる周波数を取得する。そして、管理部２５６は、取得した周波数が属する部分帯域を特定する。そして、管理部２５６は、特定した周波数に対応する、パスロス導出部２２１ｎ、ＰＨＲ導出部２２６ｎ及びＴＰＣコマンド累積部２３６ｎを選択する。管理部２５６は、選択したパスロス導出部２２１ｎ、ＰＨＲ導出部２２６ｎ及びＴＰＣコマンド累積部２３６ｎに、パスロス導出部２２１、ＰＨＲ導出部２２６及びＴＰＣコマンド累積部２３６のそれぞれが行う前述の処理を行わせる。
【００５５】
図４に表す、ＵＬグラント更新部２３１、電力制御部２４１及び変調符号化制御部２４６の各々が行う処理の説明は、図３に表すＵＬグラント更新部２３１、電力制御部２４１及び変調符号化制御部２４６の各々が行う処理の説明と同じである。ただし、図３を参照しての説明においてパスロス導出部２２１、ＰＨＲ導出部２２６及びＴＰＣコマンド累積部２３６の各々は、この順に、パスロス導出部２２１ｂ、ＰＨＲ導出部２２６ｂ及びＴＰＣコマンド累積部２３６ｂの各々に読み替える。
［処理フロー例］
図５は、図２に表す処理部１１１ａ及び図３に表す処理部２１１ａが行う処理例を表すシーケンスチャートである。
【００５６】
まず、図１に表す基地局１０１の分割部１１２は、Ｓ９０１の処理として、前記分割情報の導出と移動局２０１への送付を行う。Ｓ９０１の処理の例は、図６を参照して後述する。
【００５７】
次に、移動局２０１のパスロス導出部２２１は、Ｓ９０２の処理として、分割部１１２から送付された分割情報が表す各部分帯域についてのパスロスの集合であるパスロス群を導出する。Ｓ９０２の処理の例は、図７を参照して後述する。
【００５８】
次に、移動局２０１のＰＨＲ導出部２２６は、Ｓ９０３の処理として、パスロス導出部２２１が導出したパスロス群から、各部分帯域についてのＰＨＲの集合であるＰＨＲ群を導出し、基地局１０１へ送付する。Ｓ９０３の処理の例は、図８を参照して後述する。
【００５９】
次に、基地局１０１のＵＬグラント決定部１１３は、Ｓ９０４の処理として、ＰＨＲ導出部２２６から送付された前記ＰＨＲ群からＵＬグラントを導出し、移動局２０１に送付する。Ｓ９０４の処理の例は、図９を参照して後述する。
【００６０】
次に、ＵＬグラント更新部２３１は、Ｓ９０５の処理として、ＵＬグラント決定部１１３から送付されたＵＬグラント更新情報により、図１に表す記録部２１６が保持する一つ前のＵＬグラントの一部又は全部を更新する。Ｓ９０５の処理の例は、図１０を参照して後述する。
【００６１】
次に、ＴＰＣコマンド累積部２３６は、Ｓ９０６の処理として、必要に応じて、ＴＰＣコマンド累積値の更新を行う。Ｓ９０６の処理の例は、図１１を参照して後述する。
【００６２】
次に、電力制御部２４１は、Ｓ９０７の処理として、ＴＰＣコマンド累積値群により、図１に表す通信部２０６が行う送信に係る送信電力制御を行う。Ｓ９０７の処理の例は、図１２を参照して後述する。
【００６３】
変調符号化制御部２４６は、また、Ｓ９０８の処理として、ＴＰＣコマンド累積値群により、図１に表す通信部２０６が行う送信に係る変調符号化制御を行う。Ｓ９０８の処理の例は、図１３を参照して後述する。
【００６４】
図６は、図２に表す分割部１１２が行う、図５に表すＳ９０１の処理の処理フロー例を表す概念図である。
【００６５】
分割部１１２は、例えば、外部からの開始情報の入力により、図６に表す処理を開始する。
【００６６】
そして、分割部１１２は、Ｓ１０１の処理として、記録部１１６から、図１に表す基地局１０１が移動局２０１との間で行う通信に割り当てられた周波数帯域を読み込む。ここで、記録部１１６は、当該周波数帯域を予め保持しているものとする。
【００６７】
次に、分割部１１２は、Ｓ１０２の処理として、前記周波数帯域を分割する数である整数ｋに１を代入する。
【００６８】
そして、分割部１１２は、Ｓ１０３の処理として、前記周波数帯域をｋ個に分割する。ただし、整数ｋが１の場合は、前記周波数帯域をそのまま部分帯域とする。分割部１１２は、整数ｋが２以上の場合（Ｓ１０５の処理を経てからＳ１０３の処理を行う場合）は、例えば、分割後の各部分帯域の帯域幅が略等しくなるようにする。
【００６９】
次に、分割部１１２は、Ｓ１０４の処理として、各部分帯域の帯域幅の最大値が閾値Ｔｈ１より大きいかについての判定を行う。ここで、閾値Ｔｈ１は、Ｓ１０４の処理のために予め定められた帯域幅についての閾値である。閾値Ｔｈ１は、例えば記録部１１６が予め保持している。
【００７０】
分割部１１２は、Ｓ１０４の処理による判定結果がｙｅｓの場合はＳ１０５の処理を行う。
【００７１】
一方、分割部１１２は、Ｓ１０４の処理による判定結果がｎｏの場合はＳ１０６の処理を行う。
【００７２】
分割部１１２は、Ｓ１０５の処理を行う場合は、同処理として、整数ｋの値を一つ増やす。そして、分割部１１２は、Ｓ１０３の処理を再度行う。
【００７３】
分割部１１２は、Ｓ１０６の処理を行う場合は、同処理として、記録部１１６に対し、前述の分割情報の記録を指示する。ここで、当該分割情報は、例えば、各部分帯域についての最小周波数と最大周波数を表す情報である。
【００７４】
そして、分割部１１２は、Ｓ１０７の処理として、図１に表す通信部１０６に、前記分割情報を移動局２０１に向けて無線により送信させる。
【００７５】
そして、分割部１１２は、図６に表す処理を終了する。
【００７６】
図７は、図１に表す移動局２０１の図３に表すパスロス導出部２２１が行う、図５に表すＳ９０２の処理の処理フロー例を表す概念図である。
【００７７】
パスロス導出部２２１は、例えば、外部からの開始情報の入力により図７に表す処理を開始する。
【００７８】
そして、パスロス導出部２２１は、Ｓ３０１の処理として、図１に表す基地局１０１から、通信部２０６を介して、前述の分割情報の送付を受けたかについての判定を行う。
【００７９】
パスロス導出部２２１は、Ｓ３０１の処理による判定結果がｙｅｓの場合は、Ｓ３０２の処理を行う。
【００８０】
一方、パスロス導出部２２１は、Ｓ３０１の処理による判定結果がｎｏの場合は、Ｓ３０１の処理を再度行う。
【００８１】
パスロス導出部２２１は、Ｓ３０２の処理を行う場合は、同処理として、図１に表す記録部２１６に、前記分割情報の記録を指示する。
【００８２】
そして、パスロス導出部２２１は、Ｓ３０３の処理として、整数ｎに１を代入する。ここで、整数ｎは部分帯域に付与された番号である。
【００８３】
次に、パスロス導出部２２１は、Ｓ３０４の処理として、ｎ番目の部分帯域についてのパスロスを導出する。ここで、パスロスの導出方法は、非特許文献２に記述されている。
【００８４】
そして、パスロス導出部２２１は、Ｓ３０５の処理として、記録部２１６に、Ｓ３０４の処理により導出したパスロスと整数ｎとを組み合わせた情報を記録させる。
【００８５】
次に、パスロス導出部２２１は、Ｓ３０６の処理として、整数ｎが整数Ｎであるかについての判定を行う。ここで、整数Ｎは、前記分割情報が表す部分帯域の数（分割数）である。
【００８６】
パスロス導出部２２１は、Ｓ３０６の処理による判定結果がｎｏの場合は、Ｓ３０７の処理を行う。
【００８７】
一方、パスロス導出部２２１は、Ｓ３０６の処理による判定結果がｙｅｓの場合は、Ｓ３０８の処理を行う。
【００８８】
パスロス導出部２２１は、Ｓ３０７の処理を行う場合は、同処理として、整数ｎを一つ増やす。そして、パスロス導出部２２１は、Ｓ３０４の処理を再度行う。
【００８９】
パスロス導出部２２１は、Ｓ３０８の処理を行う場合は、同処理として、図７に表す処理を終了するかについての判定を行う。パスロス導出部２２１は、同判定を、例えば、外部からの終了情報の入力の有無を判定することにより行う。
【００９０】
パスロス導出部２２１は、Ｓ３０８の処理による判定結果がｙｅｓの場合は、図７に表す処理を終了する。
【００９１】
一方、パスロス導出部２２１は、Ｓ３０８の処理による判定結果がｎｏの場合は、Ｓ３０１の処理を再度行う。
【００９２】
図８は、図１に表す移動局２０１の図３に表すＰＨＲ導出部２２６が行う、図５に表すＳ９０３の処理の処理フロー例を表す概念図である。
【００９３】
ＰＨＲ導出部２２６は、例えば、外部からの開始情報の入力により図８に表す処理を開始する。
【００９４】
そして、ＰＨＲ導出部２２６は、Ｓ４０１の処理として、新たなパスロス群がパスロス導出部２２１により図１に表す記録部２１６に記録されたかについての判定を行う。ここで、ＰＨＲ導出部２２６は、図８に表す処理の開始以降、新たなパスロス群がパスロス導出部２２１により図１に表す記録部２１６に記録されたかについて監視していることを前提としている。
【００９５】
ＰＨＲ導出部２２６は、Ｓ４０１の処理による判定結果がｙｅｓの場合は、Ｓ４０２の処理を行う。
【００９６】
一方、ＰＨＲ導出部２２６は、Ｓ４０１の処理による判定結果がｎｏの場合は、Ｓ４０１の処理を再度行う。
【００９７】
ＰＨＲ導出部２２６は、Ｓ４０２の処理を行う場合は、同処理として、ＴＰＣコマンド累積値群が、記録部２１６に記録されているかについての判定を行う。ここで、ＴＰＣコマンド累積値群は、前述の分割情報が表す部分帯域の各々についてのＴＰＣコマンド累積値の集合である。ＴＰＣコマンド累積値群は、図１１を参照して後述するＳ５０６の処理により設定又は更新される。
【００９８】
ＰＨＲ導出部２２６は、Ｓ４０２の処理による判定結果がｙｅｓの場合は、Ｓ４０３の処理を行う。
【００９９】
一方、ＰＨＲ導出部２２６は、Ｓ４０２の処理による判定結果がｎｏの場合は、Ｓ４０２の処理を再度行う。
【０１００】
ＰＨＲ導出部２２６は、Ｓ４０３の処理を行う場合は、同処理として、整数ｎに１を代入する。整数ｎは前述のように前記分割情報が表す部分帯域の番号を表す数である。
【０１０１】
そして、ＰＨＲ導出部２２６は、Ｓ４０４の処理として、前記パスロス群に含まれる、ｎ番目の部分帯域についてのパスロスを記録部２１６から読み込む。また、ＰＨＲ導出部２２６は、同処理として、前記ＴＰＣコマンド累積値群に含まれる、ｎ番目の部分帯域についてのＴＰＣコマンド累積値とを、記録部２１６から読み込む。
【０１０２】
そして、ＰＨＲ導出部２２６は、Ｓ４０５の処理として、Ｓ４０４の処理により読み込んだｎ番目の部分帯域についてのパスロスとＴＰＣコマンド累積値とからＰＨＲを導出する。ＰＨＲの導出に用いる式は、先行技術の項で説明した式１及び式２である。
【０１０３】
次に、ＰＨＲ導出部２２６は、Ｓ４０６の処理として、Ｓ４０５の処理により導出したｎ番目の部分帯域のＰＨＲと整数ｎとの組合せを表す情報の記録を、記録部２１６に指示する。
【０１０４】
そして、ＰＨＲ導出部２２６は、Ｓ４０７の処理として、整数ｎが整数Ｎであるかについての判定を行う。ここで、整数Ｎは、前述のように、前記分割情報が表す部分帯域の数（分割数）である。
【０１０５】
ＰＨＲ導出部２２６は、Ｓ４０７の処理による判定結果がｎｏの場合は、Ｓ４０８の処理を行う。
【０１０６】
一方、ＰＨＲ導出部２２６は、Ｓ４０７の処理による判定結果がｙｅｓの場合は、Ｓ４０９の処理を行う。
【０１０７】
ＰＨＲ導出部２２６は、Ｓ４０８の処理を行う場合は、同処理として、整数ｎの値を一つ増やす。そして、ＰＨＲ導出部２２６は、Ｓ４０４の処理を再度行う。
【０１０８】
ＰＨＲ導出部２２６は、Ｓ４０９の処理を行う場合は、同処理として、図１に表す通信部２０６に、前記分割情報が表す各部分帯域についてのＰＨＲの集合であるＰＨＲ群を、基地局１０１に送付させる。
【０１０９】
そして、ＰＨＲ導出部２２６は、Ｓ４１０の処理として、図８に表す処理を終了するかについての判定を行う。ＰＨＲ導出部２２６は、当該判定を、例えば、外部からの終了情報の入力の有無を判定することにより行う。
【０１１０】
ＰＨＲ導出部２２６は、Ｓ４１０の処理による判定結果がｙｅｓの場合は、図８に表す処理を終了する。
【０１１１】
一方、ＰＨＲ導出部２２６は、Ｓ４１０の処理による判定結果がｎｏの場合は、Ｓ４０１の処理を再度行う。
【０１１２】
図９は、図１に表す基地局１０１の図２に表すＵＬグラント決定部１１３が行う、図５に表すＳ９０４の処理の処理フロー例を表す概念図である。
【０１１３】
ＵＬグラント決定部１１３は、まず、例えば、外部からの開始情報の入力により、図９に表す処理を開始する。
【０１１４】
次に、ＵＬグラント決定部１１３は、図１に表す通信部１０６を経由して、移動局２０１からＰＨＲ群の送付を受けたかについての判定を行う。
【０１１５】
ＵＬグラント決定部１１３は、Ｓ２０１の処理による判定結果がｙｅｓの場合は、Ｓ２０２の処理を行う。
【０１１６】
一方、ＵＬグラント決定部１１３は、Ｓ２０１の処理による判定結果がｎｏの場合は、Ｓ２０１の処理を再度行う。
【０１１７】
ＵＬグラント決定部１１３は、Ｓ２０２の処理を行う場合は、同処理として、Ｓ２０１の処理により送付を受けたことを判定したＰＨＲ群と前記ＰＨＲ群を送付した移動局のＩＤとの組合せを、図１に表す記録部１１６に記録させる。
【０１１８】
次に、ＵＬグラント決定部１１３は、Ｓ２０３の処理として、Ｓ２０２の処理により記録したＰＨＲ群により、ＵＬグラント更新情報を導出する。ここで、ＵＬグラント更新情報は、図１に表す移動局２０１が保持しているＵＬグラントを、移動局２０１に更新させる情報である。ただし、移動局２０１がＵＬグラントを保持していない段階においては、ＵＬグラント更新情報は、ＵＬグラントそのものである。
【０１１９】
ＵＬグラント更新情報には、例えば、各部分帯域に対応する副ＵＬグラントの移動局２０１による更新の可否を表す情報が含まれる。その場合において、当該更新の可否を表す情報は、例えば、当該可否を表すビットの有無により表される。その場合において、ビットがあることが更新を行うことを表しても良い。あるいは、ビットがあることが更新を行わないことを表しても良い。
【０１２０】
ＵＬグラント更新情報には、さらに、所定の部分帯域の副ＵＬグラントを更新する場合において、その時点における副ＵＬグラントを置き換えるべき新たな副ＵＬグラントを表す情報が含まれる。
【０１２１】
ＵＬグラント更新情報においては、部分帯域ごとに、副ＵＬグラントに含まれる副ＴＰＣコマンドと副ＭＣＳとのそれぞれについて、移動局２０１による更新の可否を表す情報が含まれても構わない。そして、副ＴＰＣコマンドと副ＭＣＳとで、移動局２０１が更新すべき部分帯域が異なっていても構わない。上記については、図１７を参照して後述する。
【０１２２】
部分帯域ごとに、副ＴＰＣコマンドと副ＭＣＳとのそれぞれについて、移動局２０１による更新の可否を表す情報が含まれている場合には、ＵＬグラント更新情報は、更新すべき副ＴＰＣコマンドや副ＭＣＳについての情報を含む。
【０１２３】
ＵＬグラント更新情報は、移動局２０１に、移動局２０１が保持している、部分帯域のＵＬグラントをすべて更新させる内容であっても構わない。
【０１２４】
次に、ＵＬグラント決定部１１３は、Ｓ２０４の処理として、Ｓ２０３の処理により導出したＵＬグラント更新情報を、図１に表す記録部１１６に記録させる。
【０１２５】
そして、ＵＬグラント決定部１１３は、Ｓ２０５の処理として、Ｓ２０４の処理により記録させたＵＬグラント更新情報を、図１に表す通信部１０６に、移動局２０１に向けて送信させる。
【０１２６】
次に、ＵＬグラント決定部１１３は、Ｓ２０６の処理として、図９に表す処理を終了するかについての判定を行う。ＵＬグラント決定部１１３は、当該判定を、例えば、外部からの終了情報の入力の有無を判定することにより行う。
【０１２７】
ＵＬグラント決定部１１３は、Ｓ２０６の処理による判定結果がｙｅｓの場合は、図９に表す処理を終了する。
【０１２８】
一方、ＵＬグラント決定部１１３は、Ｓ２０６の処理による判定結果がｎｏの場合は、Ｓ２０１の処理を再度行う。
【０１２９】
図１０は、図１に表す移動局２０１の図３に表すＵＬグラント更新部２３１が行う、図５に表すＳ９０５の処理の処理フロー例を表す概念図である。
【０１３０】
ＵＬグラント更新部２３１は、まず、例えば、外部からの開始情報の入力により、図１０に表す処理を開始する。
【０１３１】
次に、ＵＬグラント更新部２３１は、Ｓ５０１の処理として、図１に表す通信部２０６を介して、基地局１０１から、新たなＵＬグラント更新情報を受けたかについての判定を行う。
【０１３２】
ＵＬグラント更新部２３１は、Ｓ５０１の処理による判定結果がｙｅｓの場合は、Ｓ５０２の処理を行う。
【０１３３】
一方、ＵＬグラント更新部２３１は、Ｓ５０１の処理による判定結果がｎｏの場合は、Ｓ５０１の処理を再度行う。
【０１３４】
ＵＬグラント更新部２３１は、Ｓ５０２の処理を行う場合は、同処理として、整数ｎに１を代入する。ここで、整数ｎは、各部分帯域に付与された番号である。
【０１３５】
そして、ＵＬグラント更新部２３１は、Ｓ５０３の処理として、Ｓ５０１の処理により、受けたことを判定したＵＬグラント更新情報において、ｎ番目の部分帯域のＴＰＣコマンドを更新すべきとされているかについての判定を行う。
【０１３６】
ＵＬグラント更新部２３１は、Ｓ５０３の処理による判定結果がｙｅｓの場合は、Ｓ５０４の処理を行う。
【０１３７】
一方、ＵＬグラント更新部２３１は、Ｓ５０３の処理による判定結果がｎｏの場合は、Ｓ５０５の処理を行う。
【０１３８】
ＵＬグラント更新部２３１は、Ｓ５０４の処理を行う場合は、同処理として、図１に表す記録部２１６が保持するｎ番目の部分帯域のＴＰＣコマンドを更新する。ＵＬグラント更新部２３１は、当該更新を、前記ＵＬグラント更新情報によりｎ番目のＴＰＣコマンドを置き換えるべきとされている情報により行う。そして、ＵＬグラント更新部２３１は、Ｓ５０５の処理を行う。
【０１３９】
ＵＬグラント更新部２３１は、Ｓ５０５の処理を行う場合は、同処理として、Ｓ５０１の処理により、送付を受けたことを判定したＵＬグラント更新情報において、ｎ番目の部分帯域のＭＣＳを更新すべきとされているかについての判定を行う。
【０１４０】
ＵＬグラント更新部２３１は、Ｓ５０５の処理による判定結果がｙｅｓの場合は、Ｓ５０６の処理を行う。
【０１４１】
一方、ＵＬグラント更新部２３１は、Ｓ５０５の処理による判定結果がｎｏ場合は、Ｓ５０７の処理を行う。
【０１４２】
ＵＬグラント更新部２３１は、Ｓ５０６の処理を行う場合は、同処理として、図１に表す記録部２１６が保持するｎ番目の部分帯域のＭＣＳを更新する。ＵＬグラント更新部２３１は、当該更新を、前記ＵＬグラント更新情報によりｎ番目のＭＣＳを置き換えるべきとされている情報により行う。そして、ＵＬグラント更新部２３１は、Ｓ５０７の処理を行う。
【０１４３】
ＵＬグラント更新部２３１は、Ｓ５０７の処理を行う場合は、同処理として、整数ｎの値が整数Ｎであるかについての判定を行う。ここで、整数Ｎは、前述のように、前記分割情報が表す部分帯域の数（分割数）である。
【０１４４】
ＵＬグラント更新部２３１は、Ｓ５０７の処理による判定結果がｙｅｓの場合は、Ｓ５０９の処理を行う。
【０１４５】
一方、ＵＬグラント更新部２３１は、Ｓ５０７の処理による判定結果がｎｏの場合は、Ｓ５０８の処理を行う。
【０１４６】
ＵＬグラント更新部２３１は、Ｓ５０８の処理を行う場合は、同処理として、整数ｎの値を一つ増やす。
【０１４７】
そして、ＵＬグラント更新部２３１は、Ｓ５０３の処理を再度行う。
【０１４８】
ＵＬグラント更新部２３１は、Ｓ５０９の処理を行う場合は、図１０に表す処理を終了するかについての判定を行う。ＵＬグラント更新部２３１は、当該判定を、例えば、外部からの終了情報の入力の有無を判定することにより行う。
【０１４９】
ＵＬグラント更新部２３１は、Ｓ５０９の処理による判定結果がｙｅｓの場合は、図１０に表す処理を終了する。
【０１５０】
一方、ＵＬグラント更新部２３１は、Ｓ５０９の処理による判定結果がｎｏの場合は、Ｓ５０１の処理を再度行う。
【０１５１】
図１１は、図１に表す移動局２０１の図３に表すＴＰＣコマンド累積部２３６が行う、図５に表すＳ９０６の処理の処理フロー例を表す概念図である。
【０１５２】
ＴＰＣコマンド累積部２３６は、まず、例えば、外部からの開始情報の入力により、図１１に表す処理を開始する。
【０１５３】
次に、ＴＰＣコマンド累積部２３６は、Ｓ５０１の処理として、図１に表す記録部２１６が保持するＵＬグラントについての更新（図５に表すＳ９０５の処理）があったかについての判定を行う。ここで、ＴＰＣコマンド累積部２３６は、図１１に表す処理の開始意向、ＵＬグラントについての更新（図５に表すＳ９０５の処理）があったかについて監視しているものとする。
【０１５４】
ＴＰＣコマンド累積部２３６は、Ｓ５０１の処理による判定結果がｙｅｓの場合は、Ｓ５０３の処理を行う。
【０１５５】
一方、ＴＰＣコマンド累積部２３６は、Ｓ５０１の処理による判定結果がｎｏの場合は、Ｓ５０１の処理を再度行う。
【０１５６】
ＴＰＣコマンド累積部２３６は、Ｓ５０２の処理を行う場合は、同処理として、整数ｎに１を代入する。ここで、整数ｎは部分帯域に付与された番号である。
【０１５７】
そして、ＴＰＣコマンド累積部２３６は、Ｓ５０３の処理として、ｎ番目の部分帯域のＴＰＣコマンドは変更（更新）されたかについての判定を行う。
【０１５８】
ＴＰＣコマンド累積部２３６は、Ｓ５０３の処理による判定結果がｙｅｓの場合は、Ｓ５０４の処理を行う。
【０１５９】
一方、ＴＰＣコマンド累積部２３６は、Ｓ５０３の処理による判定結果がｎｏの場合は、Ｓ５０７の処理を行う。
【０１６０】
ＴＰＣコマンド累積部２３６は、Ｓ５０４の処理を行う場合は、同処理として、図１に表す記録部２１６から、ｎ番目の部分帯域の更新後のＴＰＣコマンドを読み込む。
【０１６１】
そして、ＴＰＣコマンド累積部２３６は、Ｓ５０５の処理として記録部２１６が保持するｎ番目の部分帯域にＴＰＣコマンドの累積値を更新する。ＴＰＣコマンド累積部２３６は、当該更新を、新たなＴＰＣコマンドをその時点で記録部２１６が保持しているＴＰＣコマンドの累積値に加算して求めた新しいＴＰＣコマンドの累積値により置き換えることにより行う。
【０１６２】
次に、ＴＰＣコマンド累積部２３６は、Ｓ５０６の処理として、整数ｎの値が整数Ｎであるかについての判定を行う。ここで、整数Ｎは、前記分割情報が表す部分帯域の数（分割数）である。
【０１６３】
ＴＰＣコマンド累積部２３６は、Ｓ５０６の処理による判定結果がｙｅｓの場合は、Ｓ５０８の処理を行う。
【０１６４】
一方、ＴＰＣコマンド累積部２３６は、Ｓ５０６の処理による判定結果がｎｏの場合は、Ｓ５０７の処理を行う。
【０１６５】
ＴＰＣコマンド累積部２３６は、Ｓ５０７の処理を行う場合は、同処理として、整数ｎの値を一つ増やす。そして、ＴＰＣコマンド累積部２３６は、Ｓ５０３の処理を再度行う。
【０１６６】
ＴＰＣコマンド累積部２３６は、Ｓ５０８の処理を行う場合は、同処理として、図１１に表す処理を終了するかについての判定を行う。ＴＰＣコマンド累積部２３６は、当該判定を、例えば、外部からの終了情報の入力の有無を判定することにより行う。
【０１６７】
ＴＰＣコマンド累積部２３６は、Ｓ５０８の処理による判定結果がｙｅｓの場合は、図１１に表す処理を終了する。
【０１６８】
一方、ＴＰＣコマンド累積部２３６は、Ｓ５０８の処理による判定結果がｎｏの場合は、Ｓ５０１の処理を再度行う。
【０１６９】
図１２は、図１に表す移動局２０１の図３に表す電力制御部２４１が行う、図５に表すＳ９０７の処理の処理フロー例を表す概念図である。
【０１７０】
電力制御部２４１は、例えば、外部からの開始情報の入力により、図１２に表す処理を開始する。
【０１７１】
次に、電力制御部２４１は、Ｓ６０１の処理として、その時点で図１に表す通信部２０６が基地局１０１との通信に用いている通信の周波数が属する部分帯域を特定する。ここで、電力制御部２４１は、図１２の処理の開始以降、通信部２０６が基地局１０１との通信に用いる通信の周波数を監視しているものとする。
【０１７２】
そして、電力制御部２４１は、Ｓ６０２の処理として、Ｓ６０１の処理により特定した部分帯域についてのＴＰＣコマンド累積値を図１に表す記録部２１６から読み込む。当該ＴＰＣコマンド累積値は、典型的には、図１１に表す処理により更新された最新のものである。
【０１７３】
そして、電力制御部２４１は、Ｓ６０３の処理として、Ｓ６０１の処理により特定した部分帯域について導出したパスロスを読み込む。当該パスロスは、図７に表すＳ３０５の処理により記録部２１６に記録されたものである。
【０１７４】
そして、電力制御部２４１は、Ｓ６０４の処理により、Ｓ６０２の処理により読み込んだＴＰＣコマンド累積値とＳ６０３の処理により読み込んだパスロスとにより、図１に表す通信部２０６に対し送信電力の設定を行わせる。ＴＰＣコマンド累積値とパスロスとにより送信電力を制御する方法は、非特許文献２に記述されている。
【０１７５】
そして、電力制御部２４１は、Ｓ６０５の処理として、時間Ｔ１が経過したかについての判定を行う。ここで、時間Ｔ１は一連のＳ６０１乃至Ｓ６０４の処理を行う間隔を表す時間であり、予め設定され、例えば、記録部２１６に保持されている。
【０１７６】
電力制御部２４１は、Ｓ６０５による判定結果がｙｅｓの場合は、Ｓ６０６の処理を行う。
【０１７７】
一方、電力制御部２４１は、Ｓ６０５による判定結果がｎｏの場合は、Ｓ６０５の処理を再度行う。
【０１７８】
電力制御部２４１は、Ｓ６０６の処理を行う場合は、同処理として、図１２に表す処理を終了するかについての判定を行う。電力制御部２４１は、当該判定を、例えば、外部からの終了情報の入力の有無を判定することにより行う。
【０１７９】
電力制御部２４１は、Ｓ６０６の処理による判定結果がｙｅｓの場合は、図１２に表す処理を終了する。
【０１８０】
一方、電力制御部２４１は、Ｓ６０６の処理による判定結果がｎｏの場合は、Ｓ６０１の処理を再度行う。
【０１８１】
図１３は、図１に表す移動局２０１の図３に表す変調符号化制御部２４６が行う、図５に表すＳ９０７の処理の処理フロー例を表す概念図である。
【０１８２】
変調符号化制御部２４６は、例えば、外部からの開始情報の入力により、図１３に表す処理を開始する。
【０１８３】
次に、変調符号化制御部２４６は、Ｓ７０１の処理として、その時点で図１に表す通信部２０６が基地局１０１との通信に用いている通信の周波数が属する部分帯域を特定する。ここで、変調符号化制御部２４６は、図１３の処理の開始以降、通信部２０６が基地局１０１との通信に用いている通信の周波数を監視しているものとする。
【０１８４】
そして、変調符号化制御部２４６は、Ｓ７０２の処理として、Ｓ７０１の処理により特定した部分帯域についてのＭＣＳを図１に表す記録部２１６から読み込む。当該ＭＣＳは、典型的には、図１０に表す処理により更新された最新のものである。
【０１８５】
そして、変調符号化制御部２４６は、Ｓ７０３の処理として、Ｓ７０２の処理により読み込んだＭＣＳにより、図１に表す通信部２０６に対し変調符号化設定を行わせる。ＭＣＳにより変調符号化設定を行う方法は、非特許文献２に記述されている。
【０１８６】
そして、変調符号化制御部２４６は、Ｓ７０４の処理として、時間Ｔ２が経過したかについての判定を行う。ここで、時間Ｔ１は一連のＳ７０１乃至Ｓ７０３の処理を行う間隔を表す時間であり、予め設定され、例えば、記録部２１６に保持されている。
【０１８７】
変調符号化制御部２４６は、Ｓ７０４による判定結果がｙｅｓの場合は、Ｓ７０５の処理を行う。
【０１８８】
一方、変調符号化制御部２４６は、Ｓ７０４による判定結果がｎｏの場合は、Ｓ７０４の処理を再度行う。
【０１８９】
変調符号化制御部２４６は、Ｓ７０５の処理を行う場合は、同処理として、図１３に表す処理を終了するかについての判定を行う。変調符号化制御部２４６は、当該判定を、例えば、外部からの終了情報の入力の有無を判定することにより行う。
【０１９０】
変調符号化制御部２４６は、Ｓ７０５の処理による判定結果がｙｅｓの場合は、図１３に表す処理を終了する。
【０１９１】
一方、変調符号化制御部２４６は、Ｓ７０５の処理による判定結果がｎｏの場合は、Ｓ７０１の処理を再度行う。
［ＵＬグラント設定例］
次に、図１に表す移動局２０１の図３に表すＵＬグラント更新部２３１により更新されたＵＬグラントの例について説明する。
【０１９２】
図１４は、各部分帯域ごとに異なる副ＵＬグラントが設定及び更新されるＵＬグラントの例であるＵＬグラント３０１ａを表すイメージ図である。
【０１９３】
周波数帯域３９１は、４つの部分帯域＃１乃至＃４に分割されている。
【０１９４】
ＵＬグラント３０１ａは、副ＵＬグラント３０１ａａ乃至３０１ａｄを備える。
【０１９５】
副ＵＬグラント３０１ａａ乃至３０１ａｄの各々は、部分帯域＃１乃至＃４の各々に対応している。そして、副ＵＬグラント３０１ａａ乃至３０１ａｄの各々は、ＵＬグラント更新部２３１により独立に設定及び更新される。
【０１９６】
副ＵＬグラント３０１ａａ乃至３０１ａｄの各々を独立に設定及び更新するために、図２に表すＵＬグラント決定部１１３は、前述のＵＬグラント更新情報において、ＵＬグラント３０１ａ乃至３０１ｄの各々を更新する旨を定める。また、ＵＬグラント決定部１１３は、前記ＵＬグラント更新情報に、更新後のＵＬグラント３０１ａ乃至３０１ｄの各々を含ませる。
【０１９７】
ＵＬグラント３０１ａは、各部分帯域について副ＵＬグラントを自由に設定及び更新され得る。
【０１９８】
図１４は、周波数帯域３９１が４つの部分帯域＃１乃至＃４に分割された例であるが、周波数帯域の分割数は任意である。
【０１９９】
図１５は、複数の部分帯域に対して共通の副ＵＬグラントが設定されるＵＬグラントの例であるＵＬグラント３０１ｂを表すイメージ図である。
【０２００】
周波数帯域３９１は、４つの部分帯域＃１乃至＃４に分割されている。
【０２０１】
ＵＬグラント３０１ｂは、副ＵＬグラント３０１ｂａ乃至３０１ｂｄを備える。
【０２０２】
副ＵＬグラント３０１ｂａ乃至３０１ｂｄの各々は、部分帯域＃１乃至＃４の各々に対応している。そして、副ＵＬグラント３０１ｂｂには他の副ＵＬグラントに設定及び更新される内容とは独立した情報が設定及び更新される。一方、副ＵＬグラント３０１ｂａ、３０１ｂｃ及び３０１ｂｄには、副ＵＬグラント３０１ｂｂとは独立した、副ＵＬグラント３０１ｂａ、３０１ｂｃ及び３０１ｂｄで共通の情報が、設定及び更新される。
【０２０３】
ＵＬグラント３０１ｂを設定及び更新するためには、図２に表すＵＬグラント決定部１１３は、前述のＵＬグラント更新情報において、副ＵＬグラント３０１ｂａ乃至３０１ｂｄの各々を更新する旨を定める。また、ＵＬグラント決定部１１３は、前記ＵＬグラント更新情報に、副ＵＬグラント３０１ｂｂを設定及び更新する内容を表す情報と、副ＵＬグラント３０１ｂａ、３０１ｂｃ及び３０１ｂｄを設定及び更新する共通の情報とを含ませる。
【０２０４】
ＵＬグラント３０１ｂにおいては、副ＵＬグラント３０１ｂｂと副ＵＬグラント３０１ｂａ、３０１ｂｃ及び３０１ｂｄとのそれぞれの内容を任意に設定することが可能である。
【０２０５】
図１５は、周波数帯域が４つの部分帯域＃１乃至＃４に分割された例であるが、周波数帯域の分割数は任意である。
【０２０６】
また、副ＵＬグラントの内容を共通にする部分帯域の数及び位置は任意である。
【０２０７】
図１６は、境界周波数を境に副ＵＬグラントに割り当てられる情報が異なるＵＬグラントの例であるＵＬグラント３０１ｃを表すイメージ図である。
【０２０８】
周波数帯域３９１は、４つの部分帯域＃１乃至＃４に分割されている。
【０２０９】
ＵＬグラント３０１ｃにおいては、共通周波数以下の部分帯域の副ＵＬグラントである、副ＵＬグラント３０１ｃａ及び３０１ｃｂには第一の共通内容が割り当てられる。ＵＬグラント３０１ｃにおいては、共通周波数越える部分帯域の副ＵＬグラントである、副ＵＬグラント３０１ｃｃ及び３０１ｃｄには第二の共通内容が割り当てられる。
【０２１０】
ＵＬグラント３０１ｃを設定及び更新するためには、ＵＬグラント決定部１１３は、前述のＵＬグラント更新情報において、副ＵＬグラント３０１ｃａ乃至３０１ｃｄの各々を更新する旨を定める。また、ＵＬグラント決定部１１３は、前記ＵＬグラント更新情報に、境界周波数以下の部分帯域の副ＵＬグラントを設定及び更新する内容を表す第一の情報と、境界周波数越える部分帯域の副ＵＬグラントを設定及び更新する内容を表す第二の情報と、を含ませる。
【０２１１】
ＵＬグラント３０１ｂにおいては、境界周波数以下の部分帯域の副ＵＬグラントの内容と境界周波数越える部分帯域の副ＵＬグラントの内容とを、それぞれ、任意に設定することが可能である。
【０２１２】
図１６は、周波数帯域が４つの部分帯域＃１乃至＃４に分割された例であるが、周波数帯域の分割数は任意である。
【０２１３】
また、境界周波数を越える部分帯域の数は任意である。境界周波数以下の部分帯域の数は、分割数から境界周波数越える部分帯域の数を減じた数である。
【０２１４】
図１７はＴＰＣコマンド用の部分帯域とＭＣＳ用部分帯域とが別々に設定されたＵＬグラントの例であるＵＬグラント３０１ｄを表すイメージ図である。
【０２１５】
周波数帯域は、ＴＰＣコマンド用部分帯域＃Ｔ１乃至＃Ｔ４に分割されている。
【０２１６】
周波数帯域は、また、ＭＣＳ用部分帯域＃Ｍ１乃至＃Ｔ６に分割されている。
【０２１７】
ＵＬグラント３０１ｄは、ＴＰＣコマンド３０６とＭＣＳ３１１とを備える。
【０２１８】
ＴＰＣコマンド３０６は、副ＴＰＣコマンド３０６ａ乃至３０６ｄを備える。副ＴＰＣコマンド３０６ａ乃至３０６ｄの各々は、ＴＰＣコマンド用部分帯域＃Ｔ１乃至＃Ｔ４の各々に対応している。
【０２１９】
ＭＣＳ３１１は、副ＭＣＳ３１１ａ乃至３１１ｆを備える。副ＭＣＳ３１１ａ乃至３１１ｆの各々は、ＭＣＳ用部分帯域＃Ｍ１乃至＃Ｍ６の各々に対応している。
【０２２０】
ＵＬグラント３０１ｄの設定及び更新を行うためには、図２に表す分割部１１２は、ＴＰＣコマンド用部分帯域＃Ｔ１乃至＃Ｔ４の設定と、ＭＣＳ用部分帯域＃Ｍ１乃至＃Ｔ６の設定とを行う。
【０２２１】
そして、図３に表すパスロス導出部２２１は、ＴＰＣコマンド用部分帯域及びＭＣＳ用部分帯域ごとのパスロスを導出する。
【０２２２】
また、図３に表すＰＨＲ導出部２２６は、ＴＰＣコマンド用部分帯域及びＭＣＳ用部分帯域ごとのＰＨＲを導出する。
【０２２３】
そして、図２に表すＵＬグラント決定部１１３は、ＵＬグラント更新情報に、ＴＰＣコマンド用部分帯域ごとの副ＴＰＣコマンド及びＭＣＳ用部分帯域ごとの副ＭＣＳを更新する旨の情報を含める。さらに、ＵＬグラント決定部１１３は、ＵＬグラント更新情報に、更新後のＴＰＣコマンド用部分帯域ごとの副ＴＰＣコマンド及びＭＣＳ用部分帯域ごとの副ＭＣＳを含める。
【０２２４】
ＵＬグラント３０１ｄは、副ＴＰＣコマンドと副ＭＣＳとのそれぞれを、異なった帯域幅の部分帯域について設定することを可能にする。
【０２２５】
なお、ＵＬグラント３０１ｄは、周波数帯域３９１を４つのＴＰＣコマンド用部分帯域及び６つのＭＣＳ用部分帯域に分割した例である。周波数帯域３９１をＴＰＣコマンド用部分帯域に分割する分割数及び周波数帯域３９１をＭＣＳ用部分帯域に分割する分割数の各々は任意である。
【０２２６】
図１８は、所定の副ＵＬグラントのみを更新するＵＬグラントの例であるＵＬグラント３０１ｅを表すイメージ図である。
【０２２７】
周波数帯域３９１は、４つの部分帯域＃１乃至＃４に分割されている。
【０２２８】
ＵＬグラント３０１ｅにおいては、副ＵＬグラント３０１ｅａ、３０１ｅｃ及び３０１ｅｄについては、予め所定の内容が設定されている。そして、副ＵＬグラント３０１ｅａ、３０１ｅｃ及び３０１ｅｄの内容は、ＵＬグラント決定部１１３が生成するＵＬグラント更新情報により更新されない。
【０２２９】
一方、副ＵＬグラント３０１ｅｂの内容は、ＵＬグラント更新情報により更新される。
【０２３０】
ＵＬグラント３０１ｅを更新するためには、図２に表すＵＬグラント決定部１１３は、前述のＵＬグラント更新情報において、副ＵＬグラント３０１ｅｂのみを更新する旨を定める。副ＵＬグラント３０１ｅｂのみを更新する旨を表す情報は、例えば、部分帯域＃２のみに更新を許可することを表すビットを設置することにより表される。副ＵＬグラント３０１ｅｂのみを更新する旨を表す情報は、あるいは、例えば、部分帯域＃２のみに更新を禁止することを表すビットを設置しないことにより表される。
【０２３１】
ＵＬグラント決定部１１３は、さらに、前記ＵＬグラント更新情報に、副ＵＬグラント３０１ｅｂを更新する内容を表す情報を含ませる。
【０２３２】
ＵＬグラント３０１ｅにおいては、更新が必要な部分帯域の副ＵＬグラントのみを更新することを可能にする。
【０２３３】
なお、図１８は、周波数帯域が４つの部分帯域＃１乃至＃４に分割された例であるが、周波数帯域の分割数は任意である。
【０２３４】
また、更新を行わない部分帯域の位置及び数は任意である。
【０２３５】
また、更新を行う複数の部分帯域を更新する情報を共通にしても構わない。
【０２３６】
以上の説明においては、前記分割情報は、図１に表す基地局１０１が設定し、移動局２０１に送付する例を説明した。しかしながら、移動局２０１が、基地局１０１による前記分割情報の導出とは独立して、前記分割情報を導出しても構わない。
【０２３７】
図１９は、基地局１０１による前記分割情報の導出とは独立して前記分割情報を導出し得る図１に表す移動局２０１の処理部２１１の例である処理部２１１ｃの構成を表す概念図である。
【０２３８】
処理部２１１ｃは、図３に表す処理部２１１ａが備える各構成に加えて、第二分割部２５１を備える。
【０２３９】
第二分割部２５１は、記録部２１６から読み込んだ周波数帯域を分割し、複数の部分帯域を導出する。  記録部２１６は、前記周波数帯域及び図２に表す分割部１１２が行う周波数分割のルールを予め保持している。そして、第二分割部２５１は、当該ルールに従い、周波数分割を行う。従い、第二分割部２５１が導出する部分帯域は、分割部１１２が導出する部分帯域と同じになる。
【０２４０】
分割部１１２は、各部分帯域を表す情報である分割情報を、記録部１１６に記録させる。
【０２４１】
処理部２１１ｃを備える図１に表す移動局２０１へは、基地局１０１からの前記分割情報の送付は行われなくても構わない。
【０２４２】
そして、処理部２１１ｃの各構成は、必要に応じて、第二分割部２５１が記録部２１６に記録させた前記分割情報により、各動作を行う。
【０２４３】
処理部２１１ｃの各構成についての説明は、上記を除いて、前述の図３に表す処理部２１１ａの各構成の説明である。ただし、上記説明と前述の図３に表す処理部２１１ａの各構成の説明とが矛盾する場合は、上記説明を優先する。
【０２４４】
処理部２１１ｃは、図１に表す基地局１０１から移動局２０１への分割情報の送付の省略を可能にする。
［効果］
実際に通信に用いられている周波数におけるパスロス（実パスロス）の、導出したパスロス（導出パスロス）からのずれは周波数帯域の帯域幅が大きいほど大きくなる。ＵＬグラントを実パスロスからずれた導出パスロスから導出されたＵＬグラントにより送信用電力及び変調符号化の制御を行った場合は、それらの制御の精度は低くなる。
【０２４５】
本実施形態の通信システムは、基地局と移動局との間の無線通信に用いられる周波数帯域を分割する。そして、分割した周波数帯域である部分帯域の各々について導出したパスロスから導出したＵＬグラントにより送信用電力及び変調符号化の制御を行う。
【０２４６】
各部分帯域は、前記周波数帯域より小さいので、実パスロスと導出パスロスとの差が小さい。このことは、前記通信システムが、導出パスロスにより導出したＵＬグラントによる前記制御の精度を向上させ得ることを意味する。
【０２４７】
すなわち、前記通信システムは、電力制御及び変調符号化制御をより適切に行い得る。
【０２４８】
図２０は、本実施形態の通信システムの最小限の構成である通信システム１００ｘの構成を表す概念図である。
【０２４９】
通信システム１００ｘは、分割部１１２ｘと、パスロス導出部２２１ｘと、制御情報導出部１１３ｘと、制御部２４１ｘと、を備える。
【０２５０】
分割部１１２ｘは、第一通信機と第二通信機との間で行う無線による通信に割り当てられた周波数帯域を分割し、分割された周波数帯域である部分帯域を生成する。
【０２５１】
パスロス導出部２２１ｘは、前記部分帯域の少なくとも一つについて、前記通信に係る伝播損失の導出を行う。
【０２５２】
制御情報導出部１１３ｘは、前記伝播損失から制御情報の導出を行う。
【０２５３】
制御部２４１ｘは、前記制御情報から、送信電力制御及び変調符号化制御のうちの少なくともいずれかを行う。
【０２５４】
実際に通信に用いられている周波数における伝播損失（実パスロス）の導出した伝播損失（導出パスロス）からのずれは周波数帯域の帯域幅が大きいほど大きくなる。実パスロスからずれた導出パスロスから導出された制御情報により送信用電力及び変調符号化の制御を行った場合は、それらの制御の精度は低くなる。
【０２５５】
通信システム１００ｘは、前記第一通信機と前記第二通信機との間の無線通信に用いられる周波数帯域を分割する。そして、分割した周波数帯域である前記部分帯域の各々について導出した前記伝播損失から導出した前記制御情報により送信用電力や変調符号化の制御を行う。
【０２５６】
各部分帯域は、前記周波数帯域より小さいので、実パスロスと導出パスロスとの差が小さい。このことは、導出パスロスにより導出した制御情報による前記制御の精度を向上させ得ることを意味する。
【０２５７】
すなわち、通信システム１００ｘは、電力制御及び変調符号化制御をより適切に行い得る。
【０２５８】
そのため、通信システム１００ｘは、前記構成により、［発明の効果］の項に記載した効果を奏する。
【０２５９】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０２６０】
また、前記の実施形態の一部又は全部は、以下の付記のようにも記述され得るが、以下には限られない。
【０２６１】
（付記Ａ１）
第一通信機と第二通信機との間で行う無線による通信に割り当てられた周波数帯域を分割し、分割された周波数帯域である部分帯域を生成する分割部と、
前記部分帯域の少なくとも一つについて、前記通信に係る伝播損失の導出を行うパスロス導出部と、
前記伝播損失から制御情報の導出を行う制御情報導出部と、
前記制御情報から、送信電力制御及び変調符号化制御のうちの少なくともいずれかを行う制御部と、
を備える、
通信システム。
【０２６２】
（付記Ａ１．１）
前記伝播損失が、Ｔｈｉｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  ３６．２１３に記載されたパスロスである、付記Ａ１に記載された通信システム。
【０２６３】
（付記Ａ２）
前記第一通信機が基地局であり、前記第二通信機が移動局である、付記Ａ１又は付記Ａ１．１に記載された通信システム。
【０２６４】
（付記Ａ３）
前記パスロス導出部が、前記部分帯域の各々についての伝播損失の導出を行う、付記Ａ１乃至付記Ａ２のうちのいずれか一に記載された通信システム。
【０２６５】
（付記Ａ４）
前記分割部を前記第一通信機が備える、付記Ａ１乃至付記Ａ３のうちのいずれか一に記載された通信システム。
【０２６６】
（付記Ａ５）
前記パスロス導出部を前記第二通信機が備える、付記Ａ４に記載された通信システム。
【０２６７】
（付記Ａ６）
前記制御情報導出部を前記第一通信機が備える、付記Ａ５に記載された通信システム。
【０２６８】
（付記Ａ７）
前記第二通信機が前記伝播損失から導出された情報である導出情報を、前記第一通信機に送付し、前記制御情報導出部が、前記導出情報により、前記制御情報の導出を行う、付記Ａ６に記載された通信システム。
【０２６９】
（付記Ａ８）
前記導出情報が、Ｔｈｉｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  ３６．２１３に記載されたＰｏｗｅｒ  Ｈｅａｄｒｏｏｍである、付記Ａ７に記載された通信システム。
【０２７０】
（付記Ａ９）
前記制御情報が、Ｔｈｉｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  ３６．２１３に記載されたＵｐ  Ｌｉｎｋグラントに含まれる、付記Ａ１乃至付記Ａ８のうちのいずれか一に記載された通信システム。
【０２７１】
（付記Ａ１０）
前記制御情報が、Ｔｈｉｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  ３６．２１３に記載されたＴｒａｎｓｍｉｔ  Ｐｏｗｅｒ  Ｃｏｎｔｒｏｌコマンドの累積値を含む、付記Ａ９に記載された通信システム。
【０２７２】
（付記Ａ１１）
前記制御情報が、Ｔｈｉｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  ３６．２１３に記載されたＭｏｄｕｌａｔｉｏｎ  ａｎｄ  Ｃｏｄｉｎｇ  Ｓｃｈｅｍｅを含む、付記Ａ９又は付記Ａ１０に記載された通信システム。
【０２７３】
（付記Ａ１２）
前記制御情報が、前記第二通信機が行う送信についてのものである、付記Ａ１乃至付記Ａ１１のうちのいずれか一に記載された通信システム。
【０２７４】
（付記Ａ１３）
前記制御情報を、前記第二通信機が保持する、付記Ａ１２に記載された通信システム。
【０２７５】
（付記Ａ１４）
前記制御部を、付記Ａ１２又は付記Ａ１３に記載された前記第二通信機が備える、通信システム。
【０２７６】
（付記Ａ１５）
前記第一通信機が送付する更新情報により前記第二通信機が、前記第二通信機が保持する前記制御情報の更新を行う、付記Ａ１乃至付記Ａ１４のうちのいずれか一に記載された通信システム。
【０２７７】
（付記Ａ１６）
前記更新情報が、前記制御情報の前記部分帯域の各々に係る部分を、各々独立に設定又は更新させる内容を含む、付記Ａ１５に記載された通信システム。
【０２７８】
（付記Ａ１７）
前記更新情報が、前記制御情報の前記部分帯域の各々に係る部分のうちの複数の部分を、共通の情報に設定又は更新させる内容を含む、付記Ａ１５に記載された通信システム。
【０２７９】
（付記Ａ１８）
前記更新情報が、前記制御情報の前記部分帯域の各々に係る部分のうちの一部のみを、設定又は更新させる内容を含む、付記Ａ１５又は付記Ａ１７に記載された通信システム。
【０２８０】
（付記Ａ１９）
前記更新情報が、前記制御情報に含まれるＴｈｉｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  ３６．２１３に記載されたＴｒａｎｓｍｉｔ  Ｐｏｗｅｒ  Ｃｏｎｔｒｏｌコマンドと、前記制御情報に含まれるＭｏｄｕｌａｔｉｏｎ  ａｎｄ  Ｃｏｄｉｎｇ  Ｓｃｈｅｍｅとを、設定又は更新させる内容を含む、付記Ａ１５乃至付記Ａ１８のうちのいずれか一に記載された通信システム。
【０２８１】
（付記Ａ２０）
前記更新情報が、前記制御情報に含まれるＴｈｉｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  ３６．２１３に記載されたＴｒａｎｓｍｉｔ  Ｐｏｗｅｒ  Ｃｏｎｔｒｏｌコマンドと、前記制御情報に含まれるＭｏｄｕｌａｔｉｏｎ  ａｎｄ  Ｃｏｄｉｎｇ  Ｓｃｈｅｍｅとを、各々独立に、設定又は更新させる内容を含む、付記Ａ１５乃至付記Ａ１９のうちのいずれか一に記載された通信システム。
【０２８２】
（付記Ａ２１）
Ｔｒａｎｓｍｉｔ  Ｐｏｗｅｒ  Ｃｏｎｔｒｏｌコマンドについての前記部分帯域からなる第一部分帯域群と、Ｍｏｄｕｌａｔｉｏｎ  ａｎｄ  Ｃｏｄｉｎｇ  Ｓｃｈｅｍｅについての前記部分帯域からなる代に部分帯域群とが異なる、付記Ａ１５乃至付記Ａ２０のうちのいずれか一に記載された通信システム。
【０２８３】
（付記Ａ２２）
前記第二通信機は前記部分帯域を生成する第二分割部を備える、付記Ａ１乃至付記Ａ２１のうちのいずれか一に記載された通信システム。
【０２８４】
（付記Ｂ１）
第一通信機と第二通信機との間で行う無線による通信に割り当てられた周波数帯域を分割し、分割された周波数帯域である部分帯域を生成し、
前記部分帯域の少なくとも一つについて、前記通信に係る伝播損失の導出を行い、
前記伝播損失から制御情報の導出を行い、
前記制御情報から、送信電力制御及び変調符号化制御のうちの少なくともいずれかを行う、
通信制御方法。
【符号の説明】
【０２８５】
１００、１００ｘ    通信システム
１０１    基地局
１０６、２０６    通信部
１１１、１１１ａ、２１１、２１１ａ、２１１ｂ、２１１ｃ    処理部
１１２、１１２ｘ    分割部
１１３    ＵＬグラント決定部
１１３ｘ    制御情報導出部
１１６、２１６    記録部
２０１    移動局
２２１    パスロス導出部
２２１１    第１パスロス導出部
２２１Ｎ    第Ｎパスロス導出部
２２１ｘ    パスロス導出部
２２６    ＰＨＲ導出部
２２６１    第１ＰＨＲ導出部
２２６Ｎ    第ＮＰＨＲ導出部
２３１    ＵＬグラント更新部
２３６    ＴＰＣコマンド累積部
２３６１    第１ＴＰＣコマンド累積部
２３６Ｎ    第ＮＴＰＣコマンド累積部
２４１    電力制御部
２４１ｘ    制御部
２４６    変調符号化制御部
２５１    第二分割部
３０１ａ、３０１ｂ、３０１ｃ、３０１ｄ、３０１ｅ    ＵＬグラント
３０１ａａ、３０１ａｂ、３０１ａｃ、３０１ａｄ、３０１ｂａ、３０１ｂｂ、３０１ｂｃ、３０１ｂｄ、３０１ｃａ、３０１ｃｂ、３０１ｃｃ、３０１ｃｄ、３０１ｅａ、３０１ｅｂ、３０１ｅｃ、３０１ｅｄ    副ＵＬグラント
３０６    ＴＰＣコマンド
３０６ａ、３０６ｂ、３０６ｃ、３０６ｄ    副ＴＰＣコマンド
３１１    ＭＣＳ
３１１ａ、３１１ｂ、３１１ｃ、３１１ｄ、３１１ｅ、３１１ｆ    副ＭＣＳ
３９１    周波数帯域
＃１、＃２、＃３、＃４    部分帯域
＃Ｔ１、＃Ｔ２、＃Ｔ３、＃Ｔ４    ＴＰＣコマンド用部分帯域
＃Ｍ１、＃Ｍ２、＃Ｍ３、＃Ｍ４、＃Ｍ５、＃Ｍ６    ＭＣＳ用部分帯域
【図１】
2019041174.tif 000005
【図２】
2019041174.tif 000006
【図３】
2019041174.tif 000007
【図４】
2019041174.tif 000008
【図５】
2019041174.tif 000009
【図６】
2019041174.tif 000010
【図７】
2019041174.tif 000011
【図８】
2019041174.tif 000012
【図９】
2019041174.tif 000013
【図１０】
2019041174.tif 000014
【図１１】
2019041174.tif 000015
【図１２】
2019041174.tif 000016
【図１３】
2019041174.tif 000017
【図１４】
2019041174.tif 000018
【図１５】
2019041174.tif 000019
【図１６】
2019041174.tif 000020
【図１７】
2019041174.tif 000021
【図１８】
2019041174.tif 000022
【図１９】
2019041174.tif 000023
【図２０】
2019041174.tif 000024